(57)【要約】      （修正有）【課題】湿度センサが蒸発器への送風の妨げになることを防止する除湿器を提供する。【解決手段】枠体１に吸込口６と吹出口１２を有し、枠体内部には蒸発器８と凝縮器９と送風ファン１０を有し、吸込口と蒸発器、凝縮器、送風ファン、吹出口を連通して送風経路１６を形成し、送風ファンのファンケース１３を有し、ファンケースはファンガイド部１０２と熱交固定部を有し、熱交固定部はセンサケース取付部１１１を固定部上面１０４に備え、センサケース取付部に湿度センサ１１４を収納する湿度センサケース１１２を固定し、湿度センサケースは湿度センサの下方向と前後左右方向を包囲する側板を有し、側板は前記吸込口に対向する送風経路の上流側に風上側送風口を、蒸発器または前記凝縮器に対向する送風経路の下流側に風下側送風口を形成し、湿度センサケースを固定部上面と蒸発器または前記凝縮器の間の空間に設ける。【選択図】図２
2019095163.tif 000002
【特許請求の範囲】
【請求項１】
枠体に吸込口と吹出口を有し、
前記枠体内部には蒸発器と凝縮器と送風ファンを有し、
前記吸込口と蒸発器、凝縮器、送風ファン、吹出口を連通して送風経路を形成し、  前記送風ファンのファンケースを有し、
前記ファンケースはファンガイド部と熱交固定部とを有し、
前記熱交固定部はセンサケース取付部を固定部上面に備え、
前記センサケース取付部に湿度センサを収納する湿度センサケースを固定し、
前記湿度センサケースは前記湿度センサの下方向と前後左右方向を包囲する側板を有し、
前記側板は前記吸込口に対向する前記送風経路の上流側に風上側送風口を、前記蒸発器または前記凝縮器に対向する前記送風経路の下流側に風下側送風口を形成し、
前記湿度センサケースを前記固定部上面と前記蒸発器または前記凝縮器の間の空間に設けたことを特徴とする除湿機。
【請求項２】
前記湿度センサケースには固定爪を、前記センサケース取付部には取付穴と閉塞板部を形成し、前記固定爪を前記取付穴に係合することで、前記湿度センサの上部が前記閉塞板部で閉塞されることを特徴とする請求項１に記載の除湿機。
【請求項３】
前記前記湿度センサケースの前記風上側送風口または前記風下側送風口は、前記湿度センサに対向する前記側板に形成したスリット状の開口部で構成することを特徴とする請求項１または２に記載の除湿機。
【発明の詳細な説明】
【技術分野】
【０００１】
一般家庭で使用される小型の除湿機に関するものである。
【背景技術】
【０００２】
従来よりこの種のものに於いては、枠体側面に吸込口を上面に吹出口を備え、内部に蒸発器と凝縮器と送風ファンを備え、前記吸込口と蒸発器、凝縮器、送風ファン、吹出口を連通して送風経路を形成し、前記吸込口の内側に湿度センサを備えることで、室内空気の湿度を検知して除湿機の運転をコントロールすることで、室内の湿度調整や洗濯物の乾燥運転を行っていた。（例えば、特許文献１参照）
【先行技術文献】
【特許文献】
【０００３】
【特許文献１】特許６１８２０８３号公報
【発明の概要】
【発明が解決しようとする課題】
【０００４】
このような従来例に使用する湿度センサは、プリント基板（約縦２０ｍｍ×約横３０ｍｍ）に湿度を検知する素子やリード線を接続するためのコネクタなどが組み込まれ、その厚さも約８ｍｍ有り、蒸発器との輻射熱の影響も考慮する必要が有るだけでなく、吸込口とエアーフイルタに直接接触することを防止する必要が有り、また、吸込口とエアーフイルタの間に組み込まれるにはかなり大きなスペースが必要なもので、除湿機のコンパクト化の妨げになるものであった。
また、前記湿度センサは吸込口の内側を約縦２０ｍｍ×約横３０ｍｍ塞ぐことで蒸発器への送風の妨げになるものだった。
【課題を解決するための手段】
【０００５】
この発明はこの点に着目し上記欠点を解決する為、特にその構成を、枠体に吸込口と吹出口を有し、前記枠体内部には蒸発器と凝縮器と送風ファンを有し、前記吸込口と蒸発器、凝縮器、送風ファン、吹出口を連通して送風経路を形成し、前記送風ファンのファンケースを有し、前記ファンケースはファンガイド部と熱交固定部とを有し、前記熱交固定部はセンサケース取付部を固定部上面に備え、前記センサケース取付部に湿度センサを収納する湿度センサケースを固定し、前記湿度センサケースは前記湿度センサの下方向と前後左右方向を包囲する側板を有し、前記側板は前記吸込口に対向する前記送風経路の上流側に風上側送風口を、前記蒸発器または前記凝縮器に対向する前記送風経路の下流側に風下側送風口を形成し、前記湿度センサケースを前記固定部上面と前記蒸発器または前記凝縮器の間の空間に設けたものである。
【発明の効果】
【０００６】
この発明によれば、湿度センサを収納する湿度センサケースを固定部上面と蒸発器または凝縮器の間の空間に設けた設けたことで、湿度センサが蒸発器への送風の妨げになることを防止して除湿機をコンパクトにすることができる。
また、蒸発器と対向する湿度センサケースの下面は閉塞し、吸込口に対向する送風経路の上流側に風上側送風口を形成し、送風経路の下流側で凝縮器に対向する側面に風下側送風口を開口しているので、蒸発器や凝縮器からの熱影響を極めて小さくすることができる。
【図面の簡単な説明】
【０００７】
【図１】この発明一実施例の斜視図。
【図２】同送風方向の断面図。
【図３】同要部の拡大断面図。
【図４】同送風方向と垂直な要部の拡大断面図。
【図５】同湿度センサと湿度センサケースへの取付を表す分解斜視図。
【図６】同湿度センサを湿度センサケースへ組み込んだ状態の斜視図。
【図７】同ファンケースへの湿度センサケースとドレン皿と熱交換器の取付を表す分解斜視図。
【発明を実施するための形態】
【０００８】
次にこの発明に係る除湿機を図面に示された一実施例で説明する。
１は除湿機の本体で底板２上に右側方の右ケース３と左側方の左ケース４と前面を覆う前ケース５を設けて本体の外郭を構成している。
６は前記右ケース３上部に形成された吸込口で、横長のスリットを多数備えた開口が設けられ、室内の空気を吸引する。
【０００９】
前記吸込口６の内側には樹脂製の網や不織布から成り吸入空気に混入するホコリを取り除くフィルタ７を備えている。このフィルタ７の内側には蒸発器８を備える、この蒸発器８は、多数のアルミニュームフィン８Ａに銅管８Ｂを貫通して、多数のアルミニュームフィン８Ａの間を通過する空気と銅管８Ｂ内に流れる冷媒との間で熱交が行われるフィンチューブ式の熱交換器であり、前記アルミニュームフィン８Ａは厚さが約０．１ｍｍであるためフィン８Ａ端部に外力が加われば直ちに折れ曲がることで空気の通過を阻害することで熱交換の性能低下を招くものである。前記銅管８Ｂ内を冷たい冷媒が通過すると同時に冷却されたフィン８Ａの間を吸込空気が通過する時に空気が冷却されると共に、空気中の水分が蒸発器８の表面に結露して除湿が行われ、ドレン水が発生する。
【００１０】
前記蒸発器８の更に内側で下流には、蒸発器８と同じくフィンチューブ式の熱交換器からなり高温の凝縮器９を備え、蒸発器８にて冷却除湿された空気の加熱を行う。
前記凝縮器９の更に下流にはシロッコファン型の送風ファン１０及びこのファン１０を駆動するファンモータ１１を設けている。
【００１１】
前記左ケース４の内側でファンモータ１１との間には送風ファン１０を包囲して前記吹出口１２側へ送風を導くファンケース１３を備え、このファンケース１３の上面からやや前方上部にはスタビライザ（図示せず）を設け、上方向の吹出口１２へ向かって送風するものである。
【００１２】
前記吹出口１２は左ケース４上面の開口で一体に形成され、吹出口１２上部には吹出空気の方向を調整する水平ルーバー１４を設けている、この水平ルーバー１４は回転軸１５を中心に回動自在であり、回動によって左側水平方向から真上方向の間（約９０度）の風向を変化し、除湿機の運転停止時には自動で、水平方向吹出位置にて収納される。
【００１３】
前記送風ファン１０からの送風は水平ルーバー１４に向けて送風され、水平ルーバー１４が開いた状態では、乾燥空気を真上方向に送風することで除湿機の上方に位置する洗濯物の乾燥が効率よく行われる。また、水平ルーバー１６が閉じた状態（水平方向吹出位置）では、乾燥空気を左側方向に水平に送風することで室内全体の除湿や押し入れ等の部分的な除湿運転に適するものである。
【００１４】
前記吸込口６と蒸発器８、凝縮器９、送風ファン１０、吹出口１２を連通して送風経路１６を形成している。１７は除湿機運搬用の取手で、前記右ケース３と左ケース４の上部に一体に形成されている。
【００１５】
前記蒸発器８の下方には蒸発器８の表面に結露したドレン水を受けるドレン皿１８を設けている。１９は一方をこのドレン皿１８の底面に接続し、他方を排水タンク２０の上部に位置させた排水路で、前記ドレン皿１８で集めた結露水を前記排水タンク２０へ導くものである。この排水タンク２０は右ケース３の下部と底板２の間に右方向からスライドして着脱するものであり、除湿機の運転で発生するドレン水を蓄え、満水等必要に応じて除湿機から取り外し溜まったドレン水を捨てる作業が行われる。
【００１６】
２１は透明なプラスチック材料で形成された略直方体のタンクケースで、上方には開口部２２を備え、この開口部２２に面する後ろ側左角に排水部２３を、前側左角に満水検知部２４を設けている。また、タンクケース２１の右側面２５は前記右ケース３に備えた開口を覆って除湿機本体１外表面の一部を構成する。前記右側面２５の下部には横長で凹みによって排水タンク２０を引き出すための手掛け部２６を備え、タンクケース２１左上部の前記排水部２３と満水検知部２４の間には水捨て時に使用するタンク取手２７を設けている。また、前記開口部２２には蓋２８が取り付けられている。
【００１７】
２９は前記前ケース５の上面に設けられた操作部で、運転スイッチやタイマースイッチ等のスイッチ類３０や運転ランプ等の表示部３１を備え、前記操作部２９の裏面であり、下方にはスイッチやランプが固定され、回路構成を備えた操作部基盤（図示せず）が設けられている。
【００１８】
前記ファンケース１３は排水タンク２０を収納するタンク室１００を形成する仕切壁部１０１と、前記送風ファン１０のファンガイド部１０２と、前記蒸発器８と凝縮器９の上部を固定するための熱交固定部１０３とを、ポリプロピレン等の樹脂材料にて一体に形成したものである。前記熱交固定部１０３は固定部上面１０４と固定部左右１０５で形成し、前記固定部上面１０４の左右側で固定部左右１０５の間には樹脂の厚さを部分的に薄くしてヒンジ状に簡単に折り曲げ可能にした、２本の第１肉薄部１０６を設けている。また、前記固定部上面１０４とファンガイド部１０２の間には、前記第１肉薄部１０６と同様に厚さを部分的薄くして折り曲げ可能にした第２肉薄部１０７を２本の第１肉薄部１０６の間で、第１肉薄部１０６と直交する角度に設けて、前記固定部上面１０４とファンガイド部１０２の間を折り曲げ可能にする。このことで、前記第１肉薄部１０６にて固定部上面１０４と固定部左右１０５をコの字状に折り曲げると共に、前記第２肉薄部１０７にて固定部上面１０５とファンガイド部１０２をくの字状に折り曲げれば、前記ドレン皿１８に突設した下固定部１８Ａと熱交固定部１０３の固定部左右１０５の間に蒸発器８と凝縮器９を挟んで固定する。
【００１９】
前記固定部左右１０５の先端には蒸発器８と凝縮器９の銅管８Ｂと接触する凹部１０８が設けられており、前記蒸発器８と凝縮器９のフィン８Ａは垂直方向に銅管８Ｂは水平方向に配置されているので、組立作業での熱交換器を固定するときに、固定部左右１０５の凹部１０８で銅管８Ｂを上から押圧して固定する際に、固定部左右１０５が水平方向からフィン８Ａに近づくことになり、固定部左右１０５の折り曲げ角度の調整を熱交換器（蒸発器８や凝縮器９）の位置や状態に応じて簡単に変更できるので、フィン８Ａを折り曲げたり、潰して破損することを少なくすることができる。
【００２０】
前記ファンガイド部１０２の第２肉薄部１０７近傍で、固定部上面１０４折り曲げ側には一対の係止突起１０９を立設すると共に、この係止突起１０９に対向する固定部左右１０５の外側には係止爪１１０を設けて係止する係止手段とすることで、第１肉薄部１０６と第２肉薄部１０７の折り曲げ形状を一時的に保持して作業性を向上する。
【００２１】
１１１は前記固定部上面１０４から下方の前記蒸発器８側に突設したセンサケース取付部で、底面には湿度センサケース１１２を取り付ける取付穴１１３と、湿度センサ１１４の上部を閉塞する閉塞板部１１３Ａを形成している。
【００２２】
前記湿度センサ１１４は、約縦２０ｍｍ×約横３０ｍｍ×厚さ１．６ｍｍの小さなプリント基板１１５に湿度を検知する素子や電気抵抗、リード線を接続するためのコネクタ等の電子部品１１６が半田付けされ、その厚さも約８ｍｍ程で、湿度を正確に検知するために、通風や前記蒸発器８との輻射熱の影響も考慮する必要がある。また、前記湿度センサ１１４の上部を前記閉塞板部１１３Ａによって閉塞することで、前記吸込口６からの空気を湿度センサ１１４周囲に流すことで湿度を正確に検出することができる。
【００２３】
前記湿度センサケース１１２は、上方を開口し下方の底面と前後左右方向を側板１１７で包囲し、この側板１１７の上部両端に固定爪１１８を形成し、前記取付穴１１３の縁に係止して取り付ける。また、側板１１７の前記吸込口６に対向する送風経路１６の上流側に縦長で約２ｍｍ幅の多数のスリット状開口部１１９から成る風上側送風口１２０を形成し、前記凝縮器９に対向する前記送風経路１６の下流側に縦長の前記プリント基板１１５の上部を係止する係止爪１１８Ａを形成し、この係止爪１１８Ａの両側に縦長の風下側送風口１２１を形成している。また、湿度センサケース１１２の略中央に上方から前記湿度センサ１１４を差し込んで固定する多数のリブ１２２を前記側板１１７から内側に立設している。また、前記湿度センサケース１１２は前記送風経路１６内の、吸込口６の下流側で、固定部上面１０４と蒸発器８の間に位置し、蒸発器８の上部で凝縮器９の風上側となる空間１２３に設けている。これによって、除湿機のコンパクト化を進めることができる。また、前記蒸発器８や凝縮器９からの熱影響を極めて小さくすることができる。
【００２４】
前記風上側送風口１２０や風下側送風口１２１の開口部のスリット１１９の大きさや数を変更することで、前記蒸発器８や凝縮器９からの距離や送風経路１６を流れる送風量によって簡単に変更や調整をすることができる。
【００２５】
１２４はファンガイド部１０２の略中央に備えた送風穴で、この送風穴１２４の中央に前記ファンモータ１１を取り付けるリブで形成されたモータ取付部１２５を設けている。１２６は前記仕切壁部１０１の上面に形成した段部で、仕切壁部１０１およびファンガイド部１０２が一体に形成され、この段部１２６の近傍のファンガイド部１０２に突設したドレン皿係止部１２７を設け、前記段部１２６とドレン皿係止部１２７によってドレン皿取付部１２８を形成する。そして、前記ドレン皿１８端部に備えたドレン皿爪１８Ｂがドレン皿係止部１２７に係止し、薄い皿状の前記ドレン皿１８がスライドして嵌り込むことで、組立作業を更に簡単にすることができる。
【００２６】
作業ラインに於ける組立手順の概略について説明すれば、底板２の所定位置に圧縮機（図示せず）をクッションゴム等を介して載せボルト止めする。次にファンケース１３の仕切壁部１０１下部を底板２の略中央に差し込んでセットする。（予めファンガイド部１０２のモータ取付部１１２にファンモータ１１と送風ファン１０ネジ止め取付されている）次に、予め湿度センサ１１４が組み込まれた湿度センサケース１１２をセンサケース取付部１１１に固定爪１１８を係止して固定する。（図７の破線矢印ａ）次にドレン皿１８をファンケース１３のドレン皿取付部１２８にスライドして嵌め込む。（破線矢印ｂ）次にドレン皿１８に備えた下固定部１８Ａに、蒸発器８と凝縮器９とキャピラリーチュブやその他配管が予めロー付けにて接続されたものが置かれる。（破線矢印ｃ）次に圧縮機やその他部品に繋がる配管を蒸発器８や凝縮器９にロー付けする。次に蒸発器８と凝縮器９の上部を固定するために、熱交固定部１０３の第１肉薄部１０６と第２肉薄部１０７を２段階に折り曲げとそれぞれの係止、（破線矢印ｄ）によって極めて簡単に固定でき、蒸発器８と凝縮器９上部のフィン８Ａを破損することも少なくなる。次に外枠である右ケース３と左ケース４、前ケース５が係合やネジ止めによって取付られ、最後に右側面から排水タンク２０がセットされることで除湿機の組立が終了する。
【００２７】
以上説明したように、湿度センサ１１４を収納する湿度センサケース１１２を固定部上面１０４と蒸発器８または凝縮器９の間の空間に設けた設けたことで、湿度センサ１１４が蒸発器８への送風の妨げになることを防止して除湿機をコンパクトにすることができる。
また、蒸発器８と対向する湿度センサケース１１２の下面は閉塞し、吸込口６に対向する送風経路１６の上流側に風上側送風口１２０を形成し、送風経路１６の下流側で凝縮器９に対向する側面に風下側送風口を開口しているので、蒸発器８や凝縮器９からの熱影響を極めて小さくすることができる。
また、組み立て作業時の固定部上面１０４を折り曲げる前に、湿度センサケース１１２を取り付けることで、簡単に湿度センサ１１４の組付けを行うことができ組み立て作業を極めて簡単にすることができる。
【００２８】
なお、本実施形態ではわかりやすく説明するために、風上側送風口１２０や風下側送風口１２１を複数のスリット状に形成して説明したが、格子状の開口にしたり、湿度センサ１１４の形状に応じて変更することで更なるコンパクト化をすることができる。
【００２９】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３０】
８  蒸発器
９  凝縮器
１３  ファンケース
１０２  ファンガイド部
１０３  熱交固定部
１０４  固定部上面
１１１  センサケース取付部
１１２  湿度センサケース
１１３  取付穴
１１３Ａ  閉塞板部
１１４  湿度センサ
１１８  固定爪
１１９  スリット
１２０  風上側送風口
【図１】
2019095163.tif 000003
【図２】
2019095163.tif 000004
【図３】
2019095163.tif 000005
【図４】
2019095163.tif 000006
【図５】
2019095163.tif 000007
【図６】
2019095163.tif 000008
【図７】
2019095163.tif 000009